(57)【要約】【課題】車両の運行開始前の不要な警報出力を回避すると共に、車両の通常の運行時には法令で義務づけられた運行データの確実な記録を可能にすること。【解決手段】複数の動作モードとして運行情報の記録動作の有無が異なる運行モードと陸送モードとを有し、運行モードと陸送モードとを自動的に切り替える陸送モード切替部を備える。陸送モード切替部は自車両の現在位置が事前に登録したエリアの範囲内か否かに応じて（Ｓ１４）、運行モードと陸送モードとを自動的に切り替える。また、自車両と車両外部との間で無線通信を行う通信部を備え、陸送モード切替部は、現在の動作モードと遠隔操作の指示とに応じて、運行モードと陸送モードとを切り替える。【選択図】図２
2016224859.tif 000002
【特許請求の範囲】
【請求項１】
車両に搭載され、自車両の運行状態を表す運行情報を収集して記録する運行情報記録用車載器であって、
複数の動作モードとして、少なくとも前記運行情報の記録動作の有無が異なる運行モードと陸送モードとを有し、前記運行モードと前記陸送モードとを自動的に切り替える陸送モード切替部、を備え、
前記陸送モード切替部は、自車両の現在位置を検出し、現在位置が事前に登録したエリアの範囲内か否かに応じて、前記運行モードと前記陸送モードとを切り替える、
ことを特徴とする運行情報記録用車載器。
【請求項２】
予め定めた状態で前記運行情報を正しく記録するために必要な情報を保持するパラメータ保持部、を更に備え、
前記陸送モード切替部は、前記陸送モードを選択している状態において、前記パラメータ保持部の初期設定が完了しているか否かを識別し、前記初期設定が完了している状態で、かつ現在位置が事前に登録したエリアの範囲外になったときに、前記陸送モードから前記運行モードに切り替える、
ことを特徴とする請求項１に記載の運行情報記録用車載器。
【請求項３】
前記パラメータ保持部は、前記エリアの範囲を表す情報を保持する領域を有し、
前記初期設定で、前記エリアの範囲を表す情報が前記パラメータ保持部に登録される、
ことを特徴とする請求項２に記載の運行情報記録用車載器。
【請求項４】
自車両と車両外部との間で無線通信を行う通信部、を更に備え、
前記陸送モード切替部は、前記通信部を介した遠隔操作のための所定のモード切替指示を受信した場合には、現在選択している動作モードと、受信した前記モード切替指示とに応じて、前記運行モードと前記陸送モードとを切り替える、
ことを特徴とする請求項１に記載の運行情報記録用車載器。
【請求項５】
予め定めた状態で前記運行情報を正しく記録するために必要な情報を保持するパラメータ保持部、を更に備え、
前記陸送モード切替部は、前記陸送モードを選択している状態で、前記運行モードへの切り替えを指示する前記モード切替指示を受信した場合には、前記パラメータ保持部の初期設定が完了しているか否かを識別し、前記初期設定が完了している場合は、前記運行モードへ切り替え、前記初期設定が完了していない場合は、前記通信部を利用して所定の警報を出力する、
ことを特徴とする請求項４に記載の運行情報記録用車載器。
【請求項６】
前記陸送モード切替部は、前記運行モードを選択している状態で、前記陸送モードへの切り替えを指示する前記モード切替指示を受信した場合には、前記陸送モードへ切り替える、
ことを特徴とする請求項４に記載の運行情報記録用車載器。
【請求項７】
前記陸送モード切替部が現在選択している前記動作モードが、前記陸送モードおよび前記運行モードのいずれかを表示することが可能な表示部、を更に備える、
ことを特徴とする請求項１乃至請求項６のいずれかに記載の運行情報記録用車載器。
【発明の詳細な説明】
【技術分野】
【０００１】
本発明は、車両に搭載され、自車両の運行状態を表す運行情報を収集して記録する運行情報記録用車載器に関し、特に動作モードの切り替えのための技術に関する。
【背景技術】
【０００２】
例えば、タクシー、バス、トラック等の業務用車両を用いて運送業務を行う運送業者においては、社内の各乗務員に対して安全運転を促し、事故を未然に防止することが重要な課題となっている。また、各乗務員の労務管理を適切に行い、労働基準法に違反して車両を運行することがないように管理しなければならない。
【０００３】
そこで、各乗務員が日常的に実際に安全運転を実施しているかどうかを、運送業者の社内等に配置される管理者が常時確認できるように、従来より、例えばデジタルタコグラフなどの運行情報記録用車載器が利用されている。
【０００４】
このデジタルタコグラフは、タクシー、バス、トラック等の車両毎に搭載され、一定時間（例えば０．５秒）毎に取得した速度やエンジン回転数等の情報をメモリーカードのような記憶装置に自動的に記録するものである。
【０００５】
したがって、その管理者はデジタルタコグラフが収集したデータを、例えば営業所に設置されたパーソナルコンピュータ内に搭載された分析プログラムを用いて、メモリーカードから読み出し、このデータを詳細に調べることにより、その車両の走行時間、走行距離、最高速度、平均速度、速度超過時間、速度超過回数や、エンジン回転数超過時間や回転数超過回数、急発進、急加速、急減速、アイドリング時間等を乗務員毎に把握することができ、この把握された結果に基づいて、乗務員毎に安全運転や経済的な運転を促すことが可能になる。
【０００６】
ところで、上記のような運行情報記録用車載器においては、動作モードとして、「運行モード」と「陸送モード」との２種類の切り替えができるように構成されている。
【０００７】
例えば、新たに製造した車両を工場やディーラーからユーザに届けるまでの間に、この車両を運転して移動する場合には、車両は通常の運行状態ではなく、運行状態の管理や労務管理の対象外であるので、当該車両に搭載されている運行情報記録用車載器はこの状態で運行データを記録する必要がない。また、ユーザに渡された車両を点検や整備のためにディーラーや工場まで自走状態で移動させる場合や、ユーザに渡された車両に故障が発生し、ディーラーや工場まで自走状態で移動させる場合にも、車両は通常の運行状態ではないので、運行情報記録用車載器はこの状態で運行データを記録する必要がない。このような特別な状況に対応するために、運行情報記録用車載器は「陸送モード」を有している。また、「陸送モード」以外の状態では、運行情報記録用車載器は運行データを収集して記録する必要があるので、「運行モード」を利用する。
【０００８】
例えば、特許文献１の車両運行情報収集装置においては、車両の陸送作業中には、車載器のデータカードが未装着であっても不要なブザー鳴動が停止するように「陸送モード」に切り替えることができる。具体的には、特別な設定カードから陸送であることを示す陸送モードフラグを読み出して、車載器の動作モードを「陸送モード」のオンオフを切り替える。
【０００９】
また、特許文献２の車両運行情報収集装置においては、煩雑な作業を伴わずに、動作モードを「陸送モード」から「運行モード」に切り替えるための技術を示している。具体的には、車載器に運行情報記憶媒体が装着されたことを検知すると、車載器はその動作モードを「陸送モード」から「運行モード」に自動的に切り替える。
【先行技術文献】
【特許文献】
【００１０】
【特許文献１】特開２００２−１５７６２１号公報
【特許文献２】特開２００８−１２９７８６号公報
【発明の概要】
【発明が解決しようとする課題】
【００１１】
しかしながら、特許文献１の技術を採用する場合には、運行開始の度に発生する動作モードの変更作業が繁雑になるのは避けられない。また、陸送作業の終了後に、作業者の操作ミスにより車載器の動作モードが「陸送モード」の状態のままでユーザに渡される可能性がある。その場合は、運行データを記録するための所定のカード（記録媒体）が未装着の状態でユーザ側の乗務員が車両の運行を開始したとしても、車載器が警報を出力しないため、カードが未装着であることに乗務員は気づきにくい。そして、法令で義務づけられた運行データの記録を行うことなしに車両が運行される可能性がある。
【００１２】
また、特許文献２の技術を採用する場合には、繁雑な作業を行う必要がなく、運行開始の直前に車載器の動作モードを「陸送モード」から「運行モード」に切り替えることができる。しかし、最初に運行情報記憶媒体が車載器に装着されない限り、「運行モード」に切り替わらないので、例えば乗務員が意図的に運行情報記憶媒体を車載器に装着しなかった場合には、いつまでも「陸送モード」が継続することになり、法令で義務づけられた運行データの記録を行うことなしに車両が運行される可能性がある。
【００１３】
本発明は、上記の状況に鑑みてなされたものであり、車両の運行開始前の不要な警報出力を回避すると共に、車両の通常の運行時には法令で義務づけられた運行データの確実な記録を可能にする運行情報記録用車載器を提供することを目的とする。
【課題を解決するための手段】
【００１４】
前述した目的を達成するために、本発明に係る運行情報記録用車載器は、下記（１）〜（７）を特徴としている。
（１）  車両に搭載され、自車両の運行状態を表す運行情報を収集して記録する運行情報記録用車載器であって、
複数の動作モードとして、少なくとも前記運行情報の記録動作の有無が異なる運行モードと陸送モードとを有し、前記運行モードと前記陸送モードとを自動的に切り替える陸送モード切替部、を備え、
前記陸送モード切替部は、自車両の現在位置を検出し、現在位置が事前に登録したエリアの範囲内か否かに応じて、前記運行モードと前記陸送モードとを切り替える、
ことを特徴とする。
【００１５】
この運行情報記録用車載器によれば、車両の現在位置に基づき、前記運行モードと前記陸送モードとを切り替えることができる。例えば、車両の販売や整備を行うディーラーの所在地の近傍を前記エリアとして登録しておけば、車両がディーラーからユーザに渡される前に、運行情報記録用車載器の動作モードを前記陸送モードから前記運行モードに自動的に切り替えることが可能になる。
【００１６】
（２）  前記（１）において、
予め定めた状態で前記運行情報を正しく記録するために必要な情報を保持するパラメータ保持部、を更に備え、
前記陸送モード切替部は、前記陸送モードを選択している状態において、前記パラメータ保持部の初期設定が完了しているか否かを識別し、前記初期設定が完了している状態で、かつ現在位置が事前に登録したエリアの範囲外になったときに、前記陸送モードから前記運行モードに切り替える、
ことを特徴とする。
【００１７】
この運行情報記録用車載器によれば、車両が登録したエリアの範囲外に移動した場合であっても、前記パラメータ保持部の初期設定が完了してなければ前記陸送モードの状態を維持するので、車両がユーザに渡される前に不要な警報が出力されるのを回避できる。
【００１８】
（３）  前記（２）において、
前記パラメータ保持部は、前記エリアの範囲を表す情報を保持する領域を有し、
前記初期設定で、前記エリアの範囲を表す情報が前記パラメータ保持部に登録される、
ことを特徴とする。
【００１９】
この運行情報記録用車載器によれば、例えば当該車両を扱うディーラーや工場が変更された場合であっても、前記初期設定により前記エリアを適切な範囲に変更できる。
【００２０】
（４）  前記（１）において、
自車両と車両外部との間で無線通信を行う通信部、を更に備え、
前記陸送モード切替部は、前記通信部を介した遠隔操作のための所定のモード切替指示を受信した場合には、現在選択している動作モードと、受信した前記モード切替指示とに応じて、前記運行モードと前記陸送モードとを切り替える、
ことを特徴とする。
【００２１】
この運行情報記録用車載器によれば、車両外部からの遠隔操作により、前記運行モードと前記陸送モードとを切り替えることができる。したがって、車両の運行が開始される時に確実に前記運行モードに切り替えて運行データの記録を開始できる。また、車両に故障等が発生し、当該車両をディーラー等に移送する必要がある時に、前記陸送モードに切り替えれば不要な警報の出力を回避できる。
【００２２】
（５）  前記（４）において、
予め定めた状態で前記運行情報を正しく記録するために必要な情報を保持するパラメータ保持部、を更に備え、
前記陸送モード切替部は、前記陸送モードを選択している状態で、前記運行モードへの切り替えを指示する前記モード切替指示を受信した場合には、前記パラメータ保持部の初期設定が完了しているか否かを識別し、前記初期設定が完了している場合は、前記運行モードへ切り替え、前記初期設定が完了していない場合は、前記通信部を利用して所定の警報を出力する、
ことを特徴とする。
【００２３】
この運行情報記録用車載器によれば、前記初期設定が完了していない状態で前記運行モードへ切り替わるのを防止すると共に、警報の出力により異常な状態であることを車両外部の管理者に知らせることができる。
【００２４】
（６）  前記（４）において、
前記陸送モード切替部は、前記運行モードを選択している状態で、前記陸送モードへの切り替えを指示する前記モード切替指示を受信した場合には、前記陸送モードへ切り替える、
ことを特徴とする。
【００２５】
この運行情報記録用車載器によれば、前記運行モードから前記陸送モードへの切り替えを遠隔操作により行うことができる。したがって、例えば車両に故障等が発生し、当該車両をディーラー等に移送する必要がある時に、前記陸送モードに切り替えれば不要な警報の出力を回避できる。
【００２６】
（７）  前記（１）〜（６）のいずれかにおいて、
前記陸送モード切替部が現在選択している前記動作モードが、前記陸送モードおよび前記運行モードのいずれかを表示することが可能な表示部、を更に備える、
ことを特徴とする。
【００２７】
この運行情報記録用車載器によれば、前記表示部に前記動作モードが明示されるので、乗務員は車載器の現在の動作モードを確実に把握できる。
【発明の効果】
【００２８】
本発明の運行情報記録用車載器によれば、車両の運行開始前の不要な警報出力を回避すると共に、車両の通常の運行時には法令で義務づけられた運行データの確実な記録が可能になる。
【００２９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３０】
【図１】図１は、本発明の実施形態における運行情報記録用車載器の構成例を示すブロック図である。
【図２】図２は、本発明の実施形態における運行情報記録用車載器が実行する動作モード移行判定処理（１）の内容を示すフローチャートである。
【図３】図３は、本発明の実施形態における運行情報記録用車載器が実行する動作モード移行判定処理（２）の内容を示すフローチャートである。
【図４】図４（Ａ）および図４（Ｂ）は、本発明の実施形態における運行情報記録用車載器上の表示器の２種類の画面表示例を示す正面図である。
【発明を実施するための形態】
【００３１】
本発明に関する具体的な実施形態について、各図を参照しながら以下に説明する。
【００３２】
＜装置の構成＞
本発明の実施形態における運行情報記録用車載器の構成例を図１に示す。すなわち、図１に示すデジタルタコグラフ１０が、本発明の運行情報記録用車載器に相当する。
【００３３】
図１に示すデジタルタコグラフ１０は、例えばタクシー、トラック、バスなどの業務用車両に搭載され、エンジン回転数オーバー、急発進・急加速、急減速等の運転状態を表す運転データを含む運行データを記録するものである。
【００３４】
また、図１のデジタルタコグラフ１０は、ＣＰＵ１１、速度／エンジン回転数Ｉ／Ｆ１２、外部入力Ｉ／Ｆ１３、センサ入力Ｉ／Ｆ１４、ＧＰＳ受信部１５、ＣＡＮ＿Ｉ／Ｆ１６、記録部１７、カードＩ／Ｆ１８、音声Ｉ／Ｆ１９、スピーカ２０、ＲＴＣ（時計ＩＣ）２１、出庫／入庫ボタンＳＷ入力部２２、表示コントローラ２３、通信部２４、電源部２５、メモリ２６、ＬＥＤ表示部２７、トレーニングボタンＳＷ入力部３０及び陸送ＯＮ／ＯＦＦボタンＳＷ入力部３１を有している。
【００３５】
ＣＰＵ１１は、マイクロコンピュータにより構成される制御部であり、プログラムに従ってデジタルタコグラフ１０の全体を制御する。ＣＰＵ１１が実行するプログラムや制御に必要な定数等のデータはメモリ２６上に保持されている。メモリ２６は不揮発性であり、データの読み出しおよび書き込みが可能である。
【００３６】
また、メモリ２６上には、定数のデータとして、２つの閾値テーブル２６ａ、２６ｂと、エリア情報テーブル２６ｃとが備わっている。２つの閾値テーブル２６ａ、２６ｂには、速度やエンジン回転数等を表す値と比較され、運転を評価する基準となる閾値（設定値）が登録されている。
【００３７】
エリア情報テーブル２６ｃは、特定のエリアの位置およびその範囲を表す情報を保持している。例えば、該当する車両を扱うディーラーや工場の所在地の近傍の領域を表す情報がエリア情報テーブル２６ｃに登録される。具体的には、当該エリアを円形で近似する場合には、エリアの中心位置を表す緯度及び経度と、エリアの半径の大きさを表す情報を登録する。また、エリアを矩形で近似する場合には、矩形の４つの角の各々の位置を表す４点の緯度及び経度の情報を登録する。
【００３８】
閾値テーブル２６ａ、２６ｂおよびエリア情報テーブル２６ｃについては、初期設定の操作により新たに作成したり内容を更新することができる。例えば、デジタルタコグラフ１０を運行モードで動作させるために必要なデータやパラメータ（テーブル２６ａ、２６ｂ、２６ｃの内容に相当）が書き込まれた特別な設定カードをカードＩ／Ｆ１８に差し込み、設定カード上のデータをメモリ２６に転送することにより、初期設定、すなわち各種パラメータのプリセットを行うことができる。
【００３９】
記録部１７は、データの読み出しおよび書き込みが可能な不揮発性のメモリであり、運行データの記録および保持のために利用される。また、記録部１７には、過去に走行した運転履歴のデータも履歴テーブル１７ａとして保持されている。この履歴テーブル１７ａには、場所、速度、エンジン回転数、及び燃費が登録されている。
【００４０】
カードＩ／Ｆ（インタフェース）１８は、所定の規格に適合するメモリカードをＣＰＵ１１に接続するためのインタフェースであり、メモリカードを着脱自在に保持するカードスロットを備えている。このカードＩ／Ｆ１８には、業務用車両を運転する各乗務員が所持している所定のメモリカード５５が装着される。このメモリカード５５は、不揮発性のメモリを内蔵しており、各乗務員を特定するための番号などが登録された状態で使用される。
【００４１】
音声Ｉ／Ｆ１９は、疑似音声信号を合成して出力するためのインタフェースであり、ＣＰＵ１１の制御により様々なメッセージに対応する音声信号を出力することができる。音声Ｉ／Ｆ１９の出力にはスピーカ２０が接続されている。
【００４２】
ＲＴＣ（リアルタイムクロック）２１は、所定のクロックパルスを常時計数することにより、現在時刻の情報を把握している。また、ＲＴＣ２１はタイマ機能も有している。ＣＰＵ１１は、ＲＴＣ２１を制御することにより、現在時刻の情報を取得したり、タイマを利用することができる。
【００４３】
出庫／入庫ボタンＳＷ入力部２２には、出庫／入庫ボタンのＯＮ／ＯＦＦ信号が入力される。したがって、ＣＰＵ１１は、出庫／入庫ボタンＳＷ入力部２２を介して出庫／入庫ボタンのＯＮ／ＯＦＦ状態を監視し、自車両が出庫／入庫のいずれの状態であるかを把握できる。
【００４４】
表示コントローラ２３は、表示器２８の表示内容を制御する。表示器２８は、例えば図４（Ａ）、図４（Ｂ）に示すように様々な情報をグラフィック表示することができる。ＣＰＵ１１は、表示コントローラ２３を介して表示器２８の表示内容を制御できる。
【００４５】
ＬＥＤ表示部２７は、複数のＬＥＤ（発光ダイオード）を内蔵し、ＣＰＵ１１の制御により各ＬＥＤを点灯、消灯、または点滅し、通信や動作の状態を表示することができる。トレーニングボタンＳＷ入力部３０は、乗務員によって操作され、トレーニングモードの切り替えに使用される。陸送ＯＮ／ＯＦＦボタンＳＷ入力部３１は、乗務員または作業者等により操作され、手動操作による陸送モードのオンオフ切り替えに使用される。
【００４６】
速度／エンジン回転Ｉ／Ｆ１２には、車速センサやエンジン回転数センサからそれぞれ速度パルスや回転パルスが入力される。速度／エンジン回転数Ｉ／Ｆ１２は、入力された信号をＣＰＵ１１の処理に適した信号に変換する。
【００４７】
外部入力Ｉ／Ｆ１３は、外部装置をＣＰＵ１１に接続するためのインタフェースであり、図１に示すように外部入力Ｉ／Ｆ１３には、乗務員の免許証から情報を読み取る免許証リーダ２９が接続される。
【００４８】
センサ入力Ｉ／Ｆ１４は、様々なセンサをＣＰＵ１１に接続するためのインタフェースである。センサ入力Ｉ／Ｆ１４の入力には、図１に示すようにエンジン温度を検知する温度センサ、燃料量を検知する燃料センサ、車両に加わる衝撃（Ｇ値）を感知するＧセンサ、ウインカＳＷ等の信号が入力される。
【００４９】
ＧＰＳ受信部１５は、複数のＧＰＳ（Global Positioning System）衛星からの電波をＧＰＳアンテナ１５ａで受信し、所定の計算処理を行って受信信号から車両の現在位置を表す緯度、経度の情報を取得する。
【００５０】
ＣＡＮ＿Ｉ／Ｆ１６は、ＣＡＮ（Controller Area Network）規格の通信ネットワークと接続するためのインタフェースである。ＣＰＵ１１は、車両上の通信ネットワークに接続されている様々な機器との間でＣＡＮ＿Ｉ／Ｆ１６を介して通信できる。実際には、速度、エンジン回転数、燃料量等の各種データの通信が行われる。
【００５１】
通信部２４は、所定の無線通信インタフェースを内蔵しており、車両の外部との間で無線通信回線を利用してデータ通信を行うことができる。通信部２４の具体的な機能については、デジタルタコグラフ１０の利用環境に合わせて適宜変更される。例えば、車両と遠隔地のデータセンタなどとの間で通信を行う必要がある場合には、広域無線通信を行うための機能を通信部２４に搭載し、移動体通信事業者などが提供する無線通信網との間で無線通信回線を確保する。
【００５２】
また、例えばタクシー会社や運送会社のような特定の企業が管理する特定の駐車場内のように、限られた比較的狭い範囲内でのみ無線通信する必要がある環境においては、狭域無線通信を行うための機能を通信部２４に搭載する。そして、車両が特定の地域内に存在する時だけ、特定の通信システムとの間で無線通信回線を確保する。
【００５３】
電源部２５は、車両のバッテリーなどから供給される電力に基づき、ＣＰＵ１１等が動作するために必要な安定した電圧（例えば＋５［Ｖ］）を生成し、イグニッションスイッチがオンの時にデジタルタコグラフ１０の各回路に電力を供給する。
【００５４】
＜装置の動作＞
＜概要の説明＞
デジタルタコグラフ１０は、業務用車両の通常の運行状態では、所定の運行カード（メモリカード５５）をカードＩ／Ｆ１８に装着するなどの所定の操作を行わないと、正規の手続きを乗員が行うように促すために、警報を出力することになる。しかし、例えば車両のディーラーが車両をユーザ（運送会社等）に届けるまでの間や、車両の故障の修理や点検のために車両をディーラーや工場まで自走して移動する際には、運行カードの装着ができず、かつその操作が不要であるにもかかわらず、警報が出力されてしまう。このような時に使用するために、「陸送モード」がデジタルタコグラフ１０に備わっている。つまり、運行データの記録や警報の出力が不要な状況で「陸送モード」をオンにする。「陸送モード」がオフの時には通常の「運行モード」になる。
【００５５】
上記の「陸送モード」と「運行モード」との切り替えに関し、本実施形態のデジタルタコグラフ１０は以下に示す（１）〜（４）の４種類の方法のいずれかで切り替えを行うことができる。
（１）陸送ＯＮ／ＯＦＦボタンＳＷ入力部３１に対する手動のボタン操作により「陸送モード」と「運行モード」とを切り替えることができる。
（２）「陸送モード」の状態で、カードＩ／Ｆ１８に所定の運行カードが装着された場合には、ＣＰＵ１１が「運行モード」に自動的に切り替える。
（３）「陸送モード」の状態では、自車両の現在位置に応じてＣＰＵ１１が「運行モード」へ自動的に切り替える。
（４）無線通信による車両外部からの遠隔操作に従い、「陸送モード」と「運行モード」とをＣＰＵ１１が切り替える。
【００５６】
上記（３）を実現するために、ＣＰＵ１１は図２に示した動作モード移行判定処理（１）を実行する。また、上記（４）を実現するために、ＣＰＵ１１は図３に示した動作モード移行判定処理（２）を実行する。
【００５７】
＜動作モード移行判定処理（１）＞
図２に示した動作モード移行判定処理（１）について以下に説明する。
ステップＳ１１では、ＣＰＵ１１は、デジタルタコグラフ１０の現在の動作モードが「陸送モード」と「運行モード」とのいずれであるかを識別する。例えば、不揮発性のメモリ２６上に割り当てたモード識別用フラグ（図示せず）の状態を参照することにより、この動作モードを識別する。「陸送モード」の場合は次にＳ１２に進み、「運行モード」の場合はこの処理を終了する。
【００５８】
ステップＳ１２では、ＣＰＵ１１はメモリ２６の内容を参照することにより、前述の「初期設定」が完了しているか否か、つまりデジタルタコグラフ１０の動作に必要なデータや各種パラメータの書き込みが完了しているか否かを識別する。「初期設定」が完了している場合は次のＳ１３に進み、完了してなければこの処理を終了する。
【００５９】
ステップＳ１３では、ＣＰＵ１１は、ＧＰＳ受信部１５を制御して現在の自車両の位置を表す緯度および経度の位置情報を取得する。
【００６０】
ステップＳ１４では、ＣＰＵ１１は、エリア情報テーブル２６ｃの内容により定まるエリアとＳ１３で取得した現在位置とを比較して、現在位置がエリア内か否かを識別する。エリア内であればこの処理を終了し、エリア内でなければＳ１５に進む。
【００６１】
ステップＳ１５では、ＣＰＵ１１は、デジタルタコグラフ１０の動作モードを「陸送モード」から「運行モード」に切り替える。これに伴い、前記モード識別用フラグの状態を変更する。また、現在の動作モードが「運行モード」であることを乗務員等に知らせるために、表示器２８の表示内容を、図４（Ｂ）の画面２８Ｂから図４（Ａ）の画面２８Ａに切り替える。
【００６２】
＜動作モード移行判定処理（２）＞
図３に示した動作モード移行判定処理（２）について以下に説明する。なお、図３に示した処理においては、デジタルタコグラフ１０が、通信部２４及び所定の無線通信回線を経由して、外部の通信システムとの間で通信可能な状況を想定している。外部の通信システムとは、業務用車両を所有し管理する企業内の通信システムや、データセンタ内に配置された通信システムを意味する。そして、外部の通信システムが、デジタルタコグラフ１０に対して遠隔操作のための指示を与えることができる。
【００６３】
ステップＳ２１では、ＣＰＵ１１は、外部の通信システムから通信部２４を経由して遠隔操作のためのモード切替指示が入力されたか否かを識別する。モード切替指示が入力された場合に次のＳ２２に進む。
【００６４】
ステップＳ２２では、ＣＰＵ１１は、前述のＳ１１と同様に、デジタルタコグラフ１０の現在の動作モードが「陸送モード」と「運行モード」とのいずれであるかを識別する。「陸送モード」の場合は次にＳ２３に進み、「運行モード」の場合はＳ２７に進む。
【００６５】
ステップＳ２３では、ＣＰＵ１１は、Ｓ２１で検出した外部からのモード切替指示が「運行モード」と「陸送モード」のいずれへの切り替え指示なのかを識別する。「運行モード」への切り替え指示を受信した場合はＳ２４に進み、「陸送モード」への切り替え指示を受信した場合はこの処理を終了する。
【００６６】
ステップＳ２４では、ＣＰＵ１１は、前述のＳ１２と同様に、「初期設定」が完了しているか否か、つまりデジタルタコグラフ１０の動作に必要なデータや各種パラメータの書き込みが完了しているか否かを識別する。「初期設定」が完了している場合は次のＳ２５に進み、完了してなければＳ２６に進む。
【００６７】
ステップＳ２５では、ＣＰＵ１１は、デジタルタコグラフ１０の動作モードを「陸送モード」から「運行モード」に切り替える。これに伴い、前記モード識別用フラグの状態を変更する。また、現在の動作モードが「運行モード」であることを乗務員等に知らせるために、表示器２８の表示内容を、図４（Ｂ）の画面２８Ｂから図４（Ａ）の画面２８Ａに切り替える。
【００６８】
ステップＳ２６では、「運行モード」に移行しなければならない状況であるにもかかわらず、前記「初期設定」が完了していないため移行できない異常な状況であるので、ＣＰＵ１１は、警報を出力する。この警報は、通信部２４および無線通信回線を利用して、外部の通信システムに対して出力する。したがって、外部の通信システムを管理する管理者に対して自車両で異常が発生していることを知らせることができる。
【００６９】
ステップＳ２７では、ＣＰＵ１１は、Ｓ２１で検出した外部からのモード切替指示が「運行モード」と「陸送モード」のいずれへの切り替え指示なのかを識別する。「運行モード」への切り替え指示を受信した場合はこの処理を終了し、「陸送モード」への切り替え指示を受信した場合はＳ２８に進む。
【００７０】
ステップＳ２８では、ＣＰＵ１１は、デジタルタコグラフ１０の動作モードを「運行モード」から「陸送モード」に切り替える。これに伴い、前記モード識別用フラグの状態を変更する。また、現在の動作モードが「陸送モード」であることを乗務員等に知らせるために、表示器２８の表示内容を、図４（Ａ）の画面２８Ａから図４（Ｂ）の画面２８Ｂに切り替える。
【００７１】
＜「運行モード」におけるデジタルタコグラフ１０の動作＞
乗務員が通常の状態で車両の運行を開始する場合には、乗務員は車両に乗り込んだ後、乗務員が所持している運行カード、すなわちメモリカード５５をカードＩ／Ｆ１８に装着し、更に乗務員の運転免許証を免許証リーダ２９でデジタルタコグラフ１０に読み取らせる。
【００７２】
この後で、デジタルタコグラフ１０は、速度、エンジン回転数などの運行データの収集を開始し、収集した運行データを記録部１７に自動的に記録する。また、デジタルタコグラフ１０は、運行カードから読み取った乗務員の番号や免許証の情報と対応付けて、運行データを管理する。
【００７３】
一方、乗務員が正規の運行カードを装着することなく、または運転免許証を免許証リーダ２９で読み取らせることなくこの車両の運行を開始しようとすると、デジタルタコグラフ１０は運行データを記録することができないので、警報を出力する。
【００７４】
したがって、例えば車両に故障が発生し、この車両を作業者等がディーラーや工場まで自走状態で移動するために運転を行おうとすると、「運行モード」のままでは、運行データの記録が不要であるにもかかわらず、警報が出力されてしまう。したがって、「陸送モード」に切り替えることが望ましい。
【００７５】
＜「陸送モード」におけるデジタルタコグラフ１０の動作＞
「陸送モード」においては、デジタルタコグラフ１０は運行データを記録する必要がない。したがって、運行カードがカードＩ／Ｆ１８に装着されることなく車両の運行が開始されたとしても、デジタルタコグラフ１０は警報の出力を行わない。
【００７６】
＜表示例＞
デジタルタコグラフ１０の表示器２８の画面における２種類の画面表示例を図４（Ａ）および図４（Ｂ）に示す。
【００７７】
デジタルタコグラフ１０の動作モードが前述の「運行モード」の場合には、図４（Ａ）に示す画面２８Ａが表示器２８で表示される。この画面２８Ａには、エコマーク２８ｚと、アクセル開度（「Ｐｅｄａｌ」と表記）バーメータ２８ｙとが含まれている。また、画面２８Ａの左上部には、受信電波の強度を表すアンテナマーク、メールの到着を表するメールアイコンが表示され、画面右下部には、日時等の情報が表示される。
【００７８】
エコマーク２８ｚの表示は、自車両が省燃費の状態で運行していることを意味している。アクセル開度バーメータ２８ｙは、アクセル開度、すなわちアクセルペダルの踏み込み具合を、バーグラフの長さで表している。
【００７９】
デジタルタコグラフ１０の動作モードが前述の「陸送モード」の場合には、図４（Ｂ）に示す画面２８Ｂが表示器２８で表示される。この画面２８Ｂには、警告マーク２８ｘおよび陸送モードメッセージ２８ｗが含まれている。
【００８０】
警告マーク２８ｘは、運転者に注意を促すための表示であり、三角形パターンで囲まれた感嘆符（！）の記号により構成されている。陸送モードメッセージ２８ｗは、現在の動作モードが「陸送モード」であることを表す表示であり、「陸送モード」に対応する「Factory Mode」の文字列で構成されている。
【００８１】
＜デジタルタコグラフ１０の利点＞
デジタルタコグラフ１０は、図２に示した制御を実施することにより、事前に登録したエリアの範囲の外側に出る時に、「陸送モード」から「運行モード」に自動的に切り替えることができる。したがって、車両をディーラーからユーザに渡す前に、車両毎に作業者が乗り込んでモード切替の作業を行う必要がなく、作業効率が向上する。また、自動的に「運行モード」に切り替わるので、モード切替忘れが発生しにくい。また、車両がユーザに渡される時には確実に「運行モード」に切り替わるので、乗務員が運行カードを装着することなく運行を開始しようとすれば警報が出力されることになり、運行カードが未装着のまま車両の運行が開始されるのを回避できる。
【００８２】
デジタルタコグラフ１０は、図３に示した制御を実施することにより、外部の通信システムからの遠隔操作の指示を受け付けて、動作モードを切り替えることができる。したがって、例えば車両に故障が発生し、乗務員以外の作業員が車両を自走状態でディーラーや工場まで運転するような場合に、遠隔操作で「陸送モード」に切り替えれば、運行カード未装着による警報の出力を停止できる。
【００８３】
なお、上述のデジタルタコグラフ１０においては、運行データを記録部１７に記録する場合を想定しているが、通信部２４を備えているので、無線通信により車両外部の記憶装置に運行データを転送して記録することも可能である。例えば、無線通信回線やインターネットを経由して、所定のサービスを提供するデータセンタと接続し、データセンタの管理するサーバ上に運行データを蓄積することが可能である。
【００８４】
ここで、上述した本発明に係る運行情報記録用車載器の実施形態の特徴をそれぞれ以下［１］〜［７］に簡潔に纏めて列記する。
【００８５】
［１］  車両に搭載され、自車両の運行状態を表す運行情報を収集して記録する運行情報記録用車載器であって、
複数の動作モードとして、少なくとも前記運行情報の記録動作の有無が異なる運行モードと陸送モードとを有し、前記運行モードと前記陸送モードとを自動的に切り替える陸送モード切替部（ＣＰＵ１１、Ｓ１１〜Ｓ１５、Ｓ２１〜Ｓ２８）、を備え、
前記陸送モード切替部は、自車両の現在位置を検出し、現在位置が事前に登録したエリアの範囲内か否かに応じて、前記運行モードと前記陸送モードとを切り替える（Ｓ１３〜Ｓ１５）、
ことを特徴とする運行情報記録用車載器。
【００８６】
［２］  予め定めた状態で前記運行情報を正しく記録するために必要な情報を保持するパラメータ保持部（メモリ２６）、を更に備え、
前記陸送モード切替部は、前記陸送モードを選択している状態において、前記パラメータ保持部の初期設定が完了しているか否かを識別し（Ｓ１１、Ｓ１２）、前記初期設定が完了している状態で、かつ現在位置が事前に登録したエリアの範囲外になったときに、前記陸送モードから前記運行モードに切り替える（Ｓ１５）、
ことを特徴とする前記［１］に記載の運行情報記録用車載器。
【００８７】
［３］  前記パラメータ保持部は、前記エリアの範囲を表す情報を保持する領域（エリア情報テーブル２６ｃ）を有し、
前記初期設定で、前記エリアの範囲を表す情報が前記パラメータ保持部に登録される、
ことを特徴とする前記［２］に記載の運行情報記録用車載器。
【００８８】
［４］  自車両と車両外部との間で無線通信を行う通信部（２４）、を更に備え、
前記陸送モード切替部は、前記通信部を介した遠隔操作のための所定のモード切替指示を受信した場合には、現在選択している動作モードと、受信した前記モード切替指示とに応じて、前記運行モードと前記陸送モードとを切り替える（Ｓ２１〜Ｓ２８）、
ことを特徴とする前記［１］に記載の運行情報記録用車載器。
【００８９】
［５］  予め定めた状態で前記運行情報を正しく記録するために必要な情報を保持するパラメータ保持部（メモリ２６）、を更に備え、
前記陸送モード切替部は、前記陸送モードを選択している状態で、前記運行モードへの切り替えを指示する前記モード切替指示を受信した場合には、前記パラメータ保持部の初期設定が完了しているか否かを識別し（Ｓ２４）、前記初期設定が完了している場合は、前記運行モードへ切り替え（Ｓ２５）、前記初期設定が完了していない場合は、前記通信部を利用して所定の警報を出力する（Ｓ２６）、
ことを特徴とする前記［４］に記載の運行情報記録用車載器。
【００９０】
［６］  前記陸送モード切替部は、前記運行モードを選択している状態で、前記陸送モードへの切り替えを指示する前記モード切替指示を受信した場合には、前記陸送モードへ切り替える（Ｓ２２、Ｓ２７、Ｓ２８）、
ことを特徴とする前記［４］に記載の運行情報記録用車載器。
【００９１】
［７］  前記陸送モード切替部が現在選択している前記動作モードが、前記陸送モードおよび前記運行モードのいずれかを表示することが可能な表示部（表示器２８）、を更に備える、
ことを特徴とする前記［１］〜［６］のいずれかに記載の運行情報記録用車載器。
【符号の説明】
【００９２】
１０  デジタルタコグラフ
１１  ＣＰＵ
１２  速度／エンジン回転数Ｉ／Ｆ
１３  外部入力Ｉ／Ｆ
１４  センサ入力Ｉ／Ｆ
１５  ＧＰＳ受信部
１５ａ  ＧＰＳアンテナ
１６  ＣＡＮ＿Ｉ／Ｆ
１７  記録部
１７ａ  履歴テーブル
１８  カードＩ／Ｆ
１９  音声Ｉ／Ｆ
２０  スピーカ
２１  ＲＴＣ
２２  出庫／入庫ボタンＳＷ入力部
２３  表示コントローラ
２４  通信部
２５  電源部
２６  メモリ
２６ａ，２６ｂ  閾値テーブル
２６ｃ  エリア情報テーブル
２７  ＬＥＤ表示部
２８  表示器
２８ｗ  陸送モードメッセージ
２８ｘ  警告マーク
２８ｙ  アクセル開度バーメータ
２８ｚ  エコマーク
２９  免許証リーダ
３０  トレーニングボタンＳＷ入力部
３１  陸送ＯＮ／ＯＦＦボタンＳＷ入力部
５５  メモリカード
【図１】
2016224859.tif 000003
【図２】
2016224859.tif 000004
【図３】
2016224859.tif 000005
【図４】
2016224859.tif 000006